(57)【要約】【課題】現像容器内中に補給されたトナーの撹拌性及び分散性をともに向上することができる現像装置及びこれを用いた画像形成装置を提供する。【解決手段】静電潜像が形成される像担持体１と対向配置された現像剤スリーブ１３と、現像剤スリーブ１３に供給するためのトナーとキャリアを有する２成分系現像剤を撹拌しつつ搬送する少なくとも第１及び第２搬送路１７，１８と、第２搬送路１８に設けられたトナー補給口２０とを具備し、第２搬送路１８には、螺旋状の羽根１５ａを具備する搬送スクリュ１５が設けられ、トナー補給口２０には、搬送スクリュ１５の羽根１５ａの通過によって開閉されるシャッター部材２１が設けられている。【選択図】図４
2010079232.tif 000002
【特許請求の範囲】
【請求項１】
静電潜像が形成される像担持体と対向配置された現像剤担持体と、該現像剤担持体に供給するためのトナーとキャリアを有する２成分系現像剤を撹拌しつつ搬送する少なくとも１つの搬送路と、該搬送路に設けられたトナーもしくは現像剤補給用の補給口とを具備し、前記像担持体に形成された静電潜像をトナー像として可視像化する現像装置において、
前記搬送路には、螺旋状の羽根を具備する搬送部材が設けられ、
前記補給口には、該搬送部材の羽根の通過によって開閉される開閉手段が設けられていることを特徴とする現像装置。
【請求項２】
請求項１に記載の現像装置において、前記開閉手段が、搬送路の内側に開くように付勢されたシャッター部材であり、該シャッター部材が前記搬送部材の羽根に押されると前記補給口を閉じ、羽根が離れると前記補給口を開くことを特徴とする現像装置。
【請求項３】
請求項２に記載の現像装置において、前記シャッター部材は前記搬送部材の搬送方向に幅を持つ板状に形成され、かつ、現像剤搬送方向上流側を支点として現像剤搬送方向下流側が作動して前記補給口を開閉することを特徴とした現像装置。
【請求項４】
請求項１に記載の現像装置において、前記開閉手段が羽根の先端部に設けられた現像剤搬送方向下流側に突き出た庇部であることを特徴とした現像装置。
【請求項５】
請求項１に記載の現像装置において、前記開閉手段が、閉じる方向に付勢され、搬送路内側に突出した突起が設けられたシャッター部材であり、該シャッター部材はその突起が前記搬送部材の羽根によって押されると前記補給口を開き、突起から羽根が離れると前記補給口を閉じることを特徴とする現像装置。
【請求項６】
請求項５に記載の現像装置において、前記シャッター部材は前記搬送部材の搬送方向に幅を持つ板状に形成され、かつ、現像剤搬送方向下流側を支点として現像剤搬送方向上流側が作動して前記補給口を開閉することを特徴とした現像装置。
【請求項７】
請求項１に記載の現像装置において、前記開閉手段が、常時閉じる方向に付勢され、前記搬送部材の羽根に爪部が押されると現像剤搬送方向下流側に開くスライドシャッター部材であり、該スライドシャッター部材は羽根に形成された切り込みに前記爪部が達すると閉じることを特徴とする現像装置。
【請求項８】
請求項１に記載の現像装置において、前記開閉手段が前記補給口の開閉を磁気的に行うことを特徴とした現像装置。
【請求項９】
請求項１ないし８の何れかに記載の現像装置において、前記補給口の現像剤搬送方向の幅が補給口近傍における羽根のピッチ間隔より狭いことを特徴とした現像装置。
【請求項１０】
請求項１ないし９の何れかに記載の現像装置を備えたことを特徴とした画像形成装置。
【発明の詳細な説明】
【技術分野】
【０００１】
本発明は、トナーとキャリアからなる現像剤を用いる現像装置及びプリンタ、ファクシミリ、複写機、これらの少なくとも２つの機能を有する複合機等の画像形成装置に関するものである。
【背景技術】
【０００２】
電子写真の分野において、耐久性、画像特性に優れているなどの点からトナーとキャリアからなる現像剤を用いる２成分現像方式が広く採用されている。現像容器内の現像剤は、現像スリーブなどの現像剤担持体に内包された磁石の磁気力によって搬送スクリュなどの搬送部材から現像スリーブへと搬送され、現像スリーブの回転により静電潜像が形成されている感光体などの潜像担持体へと搬送され現像される。
このとき、現像領域では、現像剤中のトナーのみが消費されるため、現像剤のトナー濃度（現像剤中に含まれるトナーの割合）を均一にし、安定した画像を出力するためには、消費された分のトナーを新たに現像容器内に補給する必要がある。
特に、写真などの印字率の高い原稿等を印刷した場合には、トナーの消費量は多くなり、トナー濃度の低下幅は大きくなる。このように、トナーの大量補給が行われる際には、現像剤のトナー濃度分布にムラが発生し、プリント用紙面内或いはプリント用紙間で、画像濃度にムラが発生するといった問題が生じた。
【０００３】
一般的に２成分現像剤を用いた現像装置では、現像剤中に補給されたトナーは、搬送スクリュに搬送されながら、徐々に長手方向に分散されながら、現像剤との混合撹拌が行われている。
【０００４】
しかしながら、トナーの比重は、現像剤の比重と比較すると軽くなっているため現像剤中に取り込まれにくく、また、トナーの流動性も現像剤の流動性と比較すると良好なため、補給されたトナーが現像剤の表層を滑るように流れ、現像剤中には取り込まれ難いなどの課題が生じていた。
【０００５】
特許文献１には、搬送スクリュの羽根の間に、補給トナーを現像剤中に取り込むパドル等を設け、上滑りしたトナーを現像剤中に取り込む工夫がされていた。
しかしながら、特許文献１の技術においてはパドルを設けた位置では、現像剤の移送速度が遅くなり、剤バランスが崩れ、現像剤の供給量が不安定になる課題があった。また、現像剤の嵩が上昇した際には、上滑りしたトナーを上手く現像剤中に取り込めず、混合撹拌効果が不十分であるという課題があった。
【０００６】
また、特許文献２には搬送スクリュ間の現像剤の受渡よりも上流側にトナー補給口を設けることで、補給トナーの混合撹拌性を向上させる工夫がされていた。
しかしながら、特許文献２の技術では補給トナーを現像剤中に取り込ませ補給トナーの撹拌性、すなわち断面方向のトナーの分散性を向上させることができるが、トナーを大量に補給した際に、トナーの搬送方向である長手方向のトナーの分散性が不十分であるという課題があった。
【０００７】
【特許文献１】特開２００１−４２６１５号公報
【特許文献２】特許第３７９５５９６号公報
【発明の開示】
【発明が解決しようとする課題】
【０００８】
本発明は、上述のような従来技術の問題点に鑑みてなされたものであり、現像容器内中に補給されたトナーの撹拌性及び分散性をともに向上することができる現像装置及びこれを用いた画像形成装置を提供することを目的としている。
【課題を解決するための手段】
【０００９】
上記の目的を達成するため、本発明は、静電潜像が形成される像担持体と対向配置された現像剤担持体と、該現像剤担持体に供給するためのトナーとキャリアを有する２成分系現像剤を撹拌しつつ搬送する少なくとも１つの搬送路と、該搬送路に設けられたトナーもしくは現像剤補給用の補給口とを具備し、前記像担持体に形成された静電潜像をトナー像として可視像化する現像装置において、前記搬送路には、螺旋状の羽根を具備する搬送部材が設けられ、前記補給口には、該搬送部材の羽根の通過によって開閉される開閉手段が設けられていることを特徴とする現像装置を提案する。
【００１０】
なお、本発明は、前記開閉手段が、搬送路の内側に開くように付勢されたシャッター部材であり、該シャッター部材が前記搬送部材の羽根に押されると前記補給口を閉じ、羽根が離れると前記補給口を開くと、効果的である。
【００１１】
さらに、本発明は、前記シャッター部材は前記搬送部材の搬送方向に幅を持つ板状に形成され、かつ、現像剤搬送方向上流側を支点として現像剤搬送方向下流側が作動して前記補給口を開閉すると、効果的である。
さらにまた、本発明は、前記開閉手段が羽根の先端部に設けられた現像剤搬送方向下流側に突き出た庇部であると、効果的である。
【００１２】
さらにまた、本発明は、前記開閉手段が、閉じる方向に付勢され、搬送路内側に突出した突起が設けられたシャッター部材であり、該シャッター部材はその突起が前記搬送部材の羽根によって押されると前記補給口を開き、突起から羽根が離れると前記補給口を閉じると、効果的である。
さらにまた、本発明は、前記シャッター部材は前記搬送部材の搬送方向に幅を持つ板状に形成され、かつ、現像剤搬送方向下流側を支点として現像剤搬送方向上流側が作動して前記補給口を開閉すると、効果的である。
【００１３】
さらにまた、本発明は、前記開閉手段が、常時閉じる方向に付勢され、前記搬送部材の羽根に爪部が押されると現像剤搬送方向下流側に開くスライドシャッター部材であり、該スライドシャッター部材は羽根に形成された切り込みに前記爪部が達すると閉じると、効果的である。
さらにまた、本発明は、前記開閉手段が前記補給口の開閉を磁気的に行うと、効果的である。
【００１４】
さらにまた、本発明は、前記補給口の現像剤搬送方向の幅が補給口近傍における羽根のピッチ間隔より狭いと、効果的である。
また、上記の目的を達成するため、本発明は、請求項１ないし９の何れかに記載の現像装置を備えたことを特徴とする画像形成装置を提案する。
【発明の効果】
【００１５】
本発明のよれば、補給するトナーもしくは現像剤の良好な混合撹拌性に加えて、補給するトナーもしくは現像剤の分散性を向上することができる。
【発明を実施するための最良の形態】
【００１６】
以下、本発明の実施の形態を添付図面に従って説明する。
ここに示した画像形成装置は、時計方向に回転する像担持体１を備え、その周囲には、像担持体表面を除電する除電装置の一例である除電ランプ９と、像担持体１を帯電する帯電装置２と、像担持体１の帯電面に光を照射して該像担持体１に静電潜像を形成する露光装置３と、その静電潜像をトナーで現像することにより、像担持体上にトナー像を形成する現像装置４と、像担持体上のトナー像を転写材６上に転写する転写装置５と、転写後の残留トナー等の汚れを除去するクリーニング装置７がそれぞれ配置されている。
【００１７】
露光装置３は、帯電装置により帯電された像担持体に静電潜像を形成する潜像形成手段の一例を構成している。また、像担持体から離れた個所には、像担持体１から転写材６上に転写されたトナー像を定着するための定着装置８が設けられている。
【００１８】
なお、帯電装置２は像担持体１の表面に当接して、その表面を所定の極性に帯電する帯電ローラを用いた例を示している。また、露光装置３は発光素子として半導体レーザ（図示せず）を使用し、画像データに基づいて光変調されたレーザ光Ｌを、帯電装置２により帯電された像担持体表面に照射してその表面に静電潜像を形成するように構成されているが、ＬＥＤなどの発光素子を有する露光装置などを用いることもできる。
【００１９】
静電潜像をトナー像として可視像化する現像装置４は、後に詳述するように、現像剤担持体１３を介して静電潜像をトナー像として可視像化する。
一方、転写装置５は該転写装置５と像担持体１との間のニップ部に送り込まれた転写材６の表面に、像担持体表面のトナー像が転写される。定着装置８は、転写材６の搬送方向において、像担持体上のトナー像が転写材６に転写される転写位置よりも下流側に設けられ、互いに圧接しながら回転する定着ローラ３１と加圧ローラ３２とを有し、転写材６がこれらのローラ３１，３２の間を搬送されるとき、熱と圧力の作用で転写材６上に転写されたトナー像がその転写材上に定着される。
【００２０】
また、転写後の像担持体１の表面に残留したトナーはクリーニング装置７によって除去され、さらに残留電荷が除電ランプ９によって除電され、次の画像形成に備えられる。
かかる画像形成装置において、上記現像装置４は図２に示すように、磁性キャリアと磁性又は非磁性のトナーを有する粉体状の２成分系現像剤１９を収容した現像容器１０内に、現像領域Ａに現像剤１９を付与して現像を行うための現像剤担持体としての現像スリーブ１３と、現像スリーブ１３上に担持された現像剤１９の層厚規制する剤規制部材１１とを有している。また、現像容器１０は、隔壁１６により現像剤搬送路１７，１８が区画されており、現像剤１９はこの搬送路に収容されている。この搬送路１７，１８には、現像剤１９を撹拌・搬送するために第１搬送スクリュ１４と第２搬送スクリュ１５がそれぞれ配置されている。この搬送スクリュ１４，１５は現像スリーブ１３の軸方向に沿ってほぼ平行に配置され、回転することにより搬送路内１７，１８の現像剤１９を軸方向に沿って搬送する。
【００２１】
第１搬送路１７内の現像剤は、第１搬送スクリュ１４の回転による搬送されている間、現像スリーブ１３に内設された磁石１２の磁気力によって現像スリーブ１３へと供給される。現像スリーブ１３に供給された現像剤１９は、該現像スリーブ１３の回転と、内設された磁石１２の磁気力とによって、現像スリーブ１３に担持されつつ、矢印Ｂの方向に搬送される。すなわち、先ず現像スリーブ１３に供給担持された現像剤１９は、該現像スリーブ１３に担持されつつ矢印Ｂで示すように剤規制部材１１を通過し、このとき矢印Ｂ１で示すように余分な現像剤１９が掻き取られる。剤規制部材１１を通過した適正量の現像剤は、矢印Ｂ２で示すように現像スリーブ１３と像担持体１との間の現像領域Ａを通過したのち、現像スリーブ１３から離れ、現像容器１０の底部へ流れて再び第１搬送路１７へと搬送される。
【００２２】
本実施の形態では、搬送スクリュ１４，１５は回転軸の回りに羽根部材をスパイラル状に設けたスクリュ構造をとり、その回転によって搬送路内の現像剤１９を搬送している。
【００２３】
図３は、図２で示した現像装置をＣ方向より見た図である。
上述したように、２成分現像方式では、画像を出力した場合、現像剤中のトナーのみが消費されるため、消費された分のトナーをトナー補給口２０より新たに補給する必要がある。
【００２４】
なお、以下の記載では、トナーを補給する場合について記載してあるが、エアーでトナーを搬送したトナーとの混合気を補給した場合、もしくはトナーとキャリアを含んだ現像剤を補給した場合でも同様の効果が得られる。
【００２５】
トナー補給口２０より第２搬送路１８内に補給されたトナーは、第２搬送スクリュ１５により、現像スリーブ１３に現像剤１９を供給する第１搬送路１７へと搬送される内に、トナーとキャリアの混合撹拌により、徐々に摩擦帯電が促進されていく。このとき、キャリアとの摩擦が十分でなければ、補給されたトナーは現像剤中のキャリアに拘束されず、現像容器外に飛散してしまったり、現像領域Ａにて飛散し、感光体上の非画像部に付着し、いわゆる地肌汚れ等の不具合を起こすため、十分に摩擦帯電する必要がある。
【００２６】
十分な摩擦帯電を行う時間を最大限に確保するために、第２搬送路１８の上流部にトナー補給口２０を設けることが望ましい。なお、本実施形態では、搬送スクリュを２本設けているが、複数本の搬送スクリュを設けた場合にも本発明の効果は同じである。
【００２７】
本発明者は、搬送スクリュ１４，１５の羽根１４ａ，１５ａの前後における現像剤１９の搬送特性について調べた。
その結果、搬送スクリュで搬送される現像剤は図４に示すような状態になることが判った。搬送路内において、現像剤１９は搬送スクリュ１４，１５の回転に伴い、搬送スクリュの羽根に押し出される形で搬送方向へと搬送される。つまり、搬送スクリュの羽根から力を受ける場所では、現像剤１９は搬送され易く、搬送スクリュの羽根から直接力を受けない場所では、現像剤１９は搬送され難いため、搬送スクリュ１４，１５の羽根１４ａ，１５ａのピッチ間において現像剤１９の分布は図４に示すような偏りが生じている。これは、搬送スクリュ１４，１５の羽根１４ａ，１５ａは、搬送スクリュの軸１４ｂ，１５ｂに対し直角に設けられているのではなく、搬送方向に対し上向きの角度を持っている。このため、搬送スクリュの羽根１４ａ，１５ａの前部側、すなわち搬送方向の下流側では現像剤１９が搬送と共に上向きの力も付与されるからである。
【００２８】
他方、搬送スクリュ１４，１５の羽根１４ａ，１５ａの後部において、搬送スクリュ羽根後部の現像剤１９にはその前部の現像剤１９と比較し、直接上向きの力は付与されないため、搬送スクリュ１４，１５断面の低い位置に留まっていることが判る。
【００２９】
そこで、本発明では、図５のように搬送スクリュ１５上の現像剤分布の高低差を利用し、現像剤１９が少ない領域（断面方向で比較すれば、現像剤表層のなるべく低い領域）に多くの補給トナーを補給するするように構成している。
【００３０】
このように、搬送スクリュ１５の羽根１５ａの後部に多くトナーを補給することで、補給されたトナーに直接上向きの力は付与されないため、搬送スクリュ断面の低い位置に留まることができる。さらに、搬送スクリュ羽根前部の現像剤の一部が羽根１５ａを乗り越えてその後側に落下するため、この羽根１５ａを乗り越え落下してくる現像剤１９が補給トナーの上に被さり、その自重により、現像剤中に取り込むことができるため混合撹拌性を向上させることができる。
【００３１】
これに対し、搬送スクリュ１５の羽根１５ａ前部に多くトナーを補給してしまうと、羽根１５ａの前部では補給トナーに上向きの力も付与されるが、その逆の下向きの力、すなわち、現像剤中に取り込まれる向きの力が付与されないため、混合撹拌性が不十分になり易い。なお、羽根の前部及び後部について、羽根から現像剤搬送方向に向かって羽根のピッチ間において中央位置までを羽根の前部、中央位置から羽根までを後部としている。
【００３２】
次に、本発明の具体的なトナー補給機構について説明する。
図４において、第２搬送路１８の内壁には開閉手段としてトナー補給口２０を覆うことができる大きさの弾性部材からなるシャッター部材２１が設けられ、該シャッター部材２１は自らの弾性によって常にトナー補給口２０を開放するように付勢されているもの、もしくは通常はトナー補給口２０を閉じているが、補給されるトナーが図示していないトナー貯留部、例えば、トナーカートリッジ等から現像装置４に送られてくると、そのトナーに押されてトナー補給口２０を開くように構成されている。なお、本例のトナー補給口２０の形状はほぼ矩形であるが、その形状は矩形以外の適宜形状に設定できる。このとき、シャッター部材２１はそのトナー補給口２０の形状に合わせるが現像剤搬送方向に対して幅を持っている。
【００３３】
なお、トナー補給口２０は、シャッター部材２１が搬送スクリュ１５の羽根１５ａと接触する位置に設けられる。具体的には、トナー補給口２０は、搬送スクリュ１５の羽根１５ａの最上部と同程度の高さか、それより下の位置に設けることができる。補給されたトナーが現像剤面に落下した時の衝撃が少なければ、補給されたトナーが現像装置内で飛散せずに即座に現像剤中に潜り込ませ易くなるため、補給口２０はなるべく低い位置に設けることが好ましいが、搬送中の現像剤により常に補給口が塞がれてしまわない程度の高さであることが必要である。また、現像装置のトナー補給はトナー単体だけでなく、トナーとキャリアをミックスした現像剤であってもよい。
【００３４】
かかるシャッター部材２１は、第２搬送路１８の内側に開くため、シャッター部材２１に搬送スクリュ１５の羽根１５ａが接しているときにはトナー補給の有無に拘らず閉じるように構成されている。このとき、シャッター部材２１は現像剤搬送方向上流側に支点２１ａを設け、その下流側が開閉するように構成している。したがって、搬送スクリュ１５の羽根１５ａが通過する際は、搬送スクリュ１５の羽根１５ａにより搬送路１８の壁面側にシャッター部材２１が押され、トナー補給口２０は閉じられる。このため、搬送スクリュ１５の羽根１５ａが通過する時、つまりは現像剤が多いときには、トナー補給口２０は閉じられているため、トナーは補給されない。
【００３５】
しかし、搬送スクリュ１５の羽根１５ａが通過すると、シャッター部材２１には搬送スクリュの羽根１５ａから受けていたトナー補給口２０を閉じる方向の力がなくなる。よって再度、搬送スクリュ１５の軸方向へとシャッター部材２１が飛び出し、トナー補給口２０は開口され現像剤量が少ない領域へとトナーが補給される。このとき、図４に示す搬送スクリュ１５の羽根１５は前部が緩やかに傾斜しているのに対し、後部は傾斜角が大きいので、羽根１５ａが通過したときに素早くシャッター部材２１が開き、現像剤量が少ない後部へに多くのトナーを補給することを促進している。
【００３６】
このように構成された現像装置は、搬送スクリュ１５の羽根１５ａの前部より羽根１５ａの後部に多くのトナーを補給することができるため、十分な混合撹拌効果が得られる。
【００３７】
一般的に、現像剤中のキャリアが拘束できるトナーの量（以下、被覆率という。）は、トナーとキャリアの粒径により決まっているために、一度に大量のトナーを補給した場合、たとえ、混合撹拌性に優れていたとしても、すでに許容の被覆率を超えていたならば、補給トナーがキャリアに拘束できない。
【００３８】
このため、補給トナー量あたりの現像剤量を増やす必要があるが、トナー補給制御にて分割補給を行うとその制御機構が複雑化しコスト的に高価になるもしくは、補給制御機構が大型化してしまうという課題がある。
【００３９】
しかし、上記実施形態の現像装置では搬送スクリュ１５の羽根１５ａの通過にあわせて補給口が開閉するため、現像剤が少ない領域に多くのトナーを補給することによる良好な混合撹拌性の利点に加えて、補給トナーの分散性が向上する利点も有している。
【００４０】
このようにシャッター部材２１は、搬送スクリュ１５の羽根１５ａの通過に連動して、間欠的にトナーを搬送路１８内へと補給することができるため、複雑な補給制御機構を用いなくともトナーの長手方向への分散性も向上することができる。
【００４１】
ところで、トナー補給口２０の現像剤の搬送方向と平行な方向の幅は、搬送スクリュ１５の羽根１５ａの通過と連動して補給するためには、搬送スクリュ１５の羽根１５ａのピッチ間より狭いことが望ましい。ただし、羽根のピッチ間が一定ではない搬送スクリュを用いた場合には、トナー補給口２０の位置における羽根のピッチ間がその幅より広く設計されていれば良く、トナー補給口近傍以外の部位に関してはトナー補給口の幅より搬送スクリュ羽根のピッチ間が狭く設計されていても問題はない。
【００４２】
図６は、他の開閉手段を備えた現像装置の実施形態を示し、本実施形態ではトナー補給口２０にシャッター部材を設けずに、搬送スクリュ１５の羽根１５ａ自身によってそのトナー補給口２０を閉じるように構成している。このとき、搬送スクリュ１５の羽根１５ａの先端部における搬送方向の厚さＴをトナー補給口２０の幅Ｗより厚くすることで、羽根１５ａによってトナー補給口２０を閉じることができる。
【００４３】
図６に示す搬送スクリュ１５の羽根１５ａは、その全長に亘って厚くする必要がなく、厚く形成する部分はトナー補給口とその近傍部分だけで十分に足りる。そして、搬送スクリュ１５の羽根１５ａの厚さＴを厚くする場合、通常、図７（ａ）に示す程度の厚さｔである羽根１５ａを、図７（ｂ）に示すように厚さＴに形成したものや、図７（ｃ）に示すように、羽根１５ａの搬送方向下流側に突き出る庇部１５ｃを形成して厚さＴにしたものを用いることができる。前者の図７（ｂ）に示す羽根１５ａの場合、型抜きが容易で製造コストが安くなる。また、後者の図７（ｃ）に示す羽根１５ａの場合、羽根１５ａの手前で確保できる現像剤量が前者のものに比べて多くなるため、搬送性に優れている。なお、搬送スクリュ１５の頂部とトナー補給口２０との隙間はシール部材（図示せず）等で埋めるとより開閉手段の密閉性が増し精度良くトナー補給を制御することができる。
【００４４】
このように、トナー補給口２０を搬送スクリュ１５の羽根１５ａで開閉すると、シャッター等の部材を設けることがなく、羽根とシャッターとの接触による磨耗がないので耐久性に優れている利点が得られる。
【００４５】
ところで、現像剤を搬送スクリュ１４，１５を用いて搬送する場合、搬送スクリュ１４，１５のスパイラルの巻き方向により現像剤が溜まる向きが異なってくる。図８は図５を上方から見た搬送スクリュ１５内の現像剤寄り方向の概略図である。
【００４６】
図８（ａ）は、補給口と反対側に剤が寄るように搬送スクリュのスパイラルの巻き方向設計した場合である。このとき、現像剤の量が最も少ない部分にトナーを補給することができるため、搬送路の断面方向の下部まで補給トナーを潜り込ませることができる。
【００４７】
また、図８（ｂ）は、補給口側に剤が寄るように搬送スクリュのスパイラルの巻き方向設計した場合である。上述してきたように、搬送スクリュ羽根前部の現像剤の一部は、羽根を乗り越え、羽根の後部へと落下して来るが、現像剤が寄っている側の方が、この落下現像剤量が多くなる。つまり、補給口側に現像剤が寄るように設計すると、この搬送スクリュを乗り越えて補給トナーの上に覆い被さる現像剤量が増えるため、より混合撹拌性が向上する利点を有する。
【００４８】
また、第２搬送路１８は図９に示すように、その形状を搬送スクリュ１５を覆うドーム形状にした場合、以下のような効果がある。
搬送スクリュ１５の羽根１５ａの前部では、現像剤の一部が羽根１５ａを乗り越えて後部へと落下している。このとき、搬送路１８と搬送スクリュ１５の羽根１５ａの間に隙間がある場合には、羽根を乗り越えた現像剤の一部はその隙間へと逃げることができる。しかし、図９に示すように、搬送路１８の一部を搬送スクリュ１５の羽根１５ａの形状に沿う形でドーム状に形成すると、搬送路１８の壁面と搬送スクリュ１５の羽根１５ａの間の隙間が狭くなるため、確実に搬送スクリュ１５の羽根後部へ羽根１５ａを乗り越えた現像剤を落とすことができる。
【００４９】
このため、図３のＥ点付近のようなトナー補給口２０の搬送方向下流側に一部部分において、上述したようなドーム形状の部材を設けることで、補給トナー上部から降りかかる現像剤量を増やすことができ、補給トナーの混合撹拌性を高めることができる。
【００５０】
図１０は、本発明の他の実施形態を示す説明図であって、第２搬送路１８のトナー補給口２０の近傍には電磁石２２としての磁界発生手段を用いることで補給のオン・オフを行うようにしている。電磁石２２を用いた場合、該電磁石２２に電流が流れ、磁界が発生した場合には、その電磁石２２近傍に現像剤が集まり、トナー補給口２０を塞ぐためトナー補給が行われない。また、電磁石２２の電流を流さなければ電磁石２２近傍には磁界が発生しないため、電磁石２２近傍に拘束されていた現像剤は開放され、トナー補給口２０からトナーが補給される。
【００５１】
この電磁石２２の磁界発生周期を、搬送スクリュ１５の羽根１５ａの通過周期に同期させて制御を行えば、羽根１５ａの後部にトナーを補給することが可能となる。
また、図１１に示すように、トナー補給口２０付近において、搬送スクリュ１５の羽根１５ａの厚さＴを厚くし、それ自体に永久磁石２４などの磁界発生手段を設けた場合には、搬送スクリュ１５の羽根１５ａ自身によって現像剤が拘束される。この場合、搬送スクリュ１５の羽根１５ａに拘束された現像剤の内、一部は搬送スクリュ１５の回転により、搬送スクリュ１５から離れ搬送路の下流へと搬送されていくが、他は搬送スクリュ１５の羽根１５ａ上の磁石２４に拘束されたままとなる。搬送スクリュ１５に現像剤が拘束されていない場合には、トナー補給口２０と搬送スクリュ１５の羽根の間に若干の隙間が存在することがあるが、搬送スクリュ１５の羽根１５の磁石２４に現像剤が拘束されている場合には、より確実に補給口を塞ぐことができ、トナー補給制御の精度が向上し望ましい。なお、本例においても図６と同様に、搬送スクリュ１５の羽根１５ａの先端部における搬送方向の厚さＴをトナー補給口２０の幅Ｗより厚くしている。
【００５２】
図１２は、本発明の他の実施形態を示す現像装置４０の一例を示す断面図であり、先ずその全体構成から明らかにする。
現像装置４０は、磁性キャリアと磁性又は非磁性のトナーを有する粉体状の２成分系現像剤１９を収容した現像容器５０内に、現像領域Ａに現像剤を付与して現像を行うための現像剤担持体としての現像スリーブ５３と、現像スリーブ５３上に担持された現像剤の層厚規制する剤規制部材５１とを有している。また、現像容器５０は、隔壁５６により紙面上下に現像剤搬送路５７，５８が区画されており、現像剤はこの搬送路に収容されている。
【００５３】
上搬送路である第１搬送路５７と下搬送路である第２搬送路５８には、現像剤を撹拌・搬送するために第１搬送スクリュ５４と第２搬送スクリュ５５がそれぞれ配置されている。
【００５４】
搬送スクリュ５４，５５は現像スリーブ５３の軸方向に沿ってほぼ平行に配置され、回転することにより搬送路内の現像剤を軸方向に沿って１方向に搬送する。このとき、第２搬送スクリュ５５は第１搬送スクリュ５４とほぼ平行に配置され、第２搬送路５８の現像剤を第１搬送スクリュの搬送方向とは逆方向に搬送される。
【００５５】
このようにして、第１および第２搬送スクリュ５４，５５の回転による搬送によって、現像剤は図１３の矢印で示すように、隔壁５６の両端に設けられた連通部６１，６２を通じて第１搬送路５７と第２搬送路５８の間を循環する。
【００５６】
さらに、第１搬送路５７内の現像剤は、第１搬送スクリュ５４の回転による搬送されている間、第１搬送路５７と現像スリーブ５３の間に配置されている障壁６３を乗り越えるかもしくは、現像スリーブ５３に内設された磁石５２の磁気力によって現像スリーブ５３へと供給される。現像スリーブ５３に供給された現像剤は、該現像スリーブ５３の回転と、内設された磁石５２の磁気力とによって、現像スリーブ５３担持されつつ、矢印Ｂの方向に搬送される。すなわち、先ず現像スリーブ５３に供給担持された現像剤は、該現像スリーブ５３に担持されつつ矢印Ｂで示すように剤規制部材５１を通過し、このとき矢印Ｂ１で示すように余分な現像剤が掻き取られる。剤規制部材５１を通過した適正量の現像剤は、矢印Ｂ２で示すように現像スリーブ５３と像担持体１との間の現像領域Ａを通過したのち、現像スリーブ５３から離れ、現像容器５０の底部へ流れて再び第２搬送路５８へと搬送される。即ち、現像スリーブ５３上に担持されて現像領域Ａに搬送され、現像に供された後、現像領域Ａにおいて現像に供されないで残った現像剤は、現像スリーブの回転に伴って第１搬送路５７に再度回収されるのではなく、一度第２搬送路５８に回収されるために第１搬送路５７内には常に第２搬送路５８で十分攪拌された現像剤のみが存在する。
【００５７】
本実施の形態では、搬送スクリュは回転軸の回りに羽根部材をスパイラル状に設けたスクリュ構造をとり、その回転によって搬送路内の現像剤を搬送している。
ところで、このような現像装置４０では、第１搬送路５７と第２搬送路５８とが垂直方向に配置されているため、図１４に示すように第１搬送路５７から第２搬送路５８への現像剤は連通部６１を介して上から下へ、また、第２搬送路５８から第１搬送路５７への現像剤は連通部６２を介して下から上へ動く。特に、第２搬送路５８から第１搬送路５７へは、端部に溜まった現像剤の圧力により下から上へと押し上げられるようにして現像剤が受け渡される。この時の剤循環経路を図１３に示すが、第２搬送路５８から第１搬送路５７へ受け渡された現像剤のすべてが第１搬送路５７において第１搬送スクリュ５４の下流端に到達するわけではなく、途中で現像スリーブ５３に供給され、現像領域Ａを通過後、第２搬送路５８に回収される成分が存在する。
【００５８】
この成分の経路を図１３に矢印ａで示す。この現像スリーブへの現像剤の受け渡しは、現像スリーブ５３の幅のほぼ全体にわたってなされる。このため、第１搬送路５７内において第１搬送スクリュ５４により搬送される現像剤の量は、上流端から下流端に行くに従い徐々に減少する傾向がある。一方、第２搬送路５８内において第２搬送スクリュ５５により搬送される現像剤の量は、上流端から下流端にいくに従い徐々に増加する傾向がある。即ち、現像装置内の現像剤の分布には片寄りが存在する。
【００５９】
上下で１方向に循環する現像装置においても、補給トナーの撹拌混合性を高めるために（撹拌混合時間を稼ぐために）、図１４に示すように第１搬送路５７の最下流部若しくは第２搬送路５８の上流部にトナー補給口２０を設けることが望ましい。
【００６０】
さて、１方向循環現像装置においては、補給口近傍つまりは、第２搬送路の上流では、現像剤量が少なくなっている。よって、本発明を１方向循環現像装置と組み合わせて用いることで現像剤が少ない位置つまりは断面方向で比較すると下方の位置に補給トナーを補給できることで、第２搬送路５８内を搬送されるに現像剤量が徐々に増加したとしても、補給トナーの上側から現像剤を多い被せる事ができるため、補給トナーの混合撹拌性をさらに向上させることができる。
【００６１】
次に、本発明のさらに別の実施形態を、図１５及び図１６を用いて説明する
図１５及び図１６において、本例と図４に示す実施形態との違いを説明すると、トナー補給口２０を塞ぐシャッター部材２１は剤搬送方向下流側が支点２１ａとなるように他の辺が切り欠かれて形成され、さらに搬送路１８内に突き出した爪部２５を設けている。搬送スクリュ１５の羽根１５ａが爪部２５に接触し始めると、シャッター部材２１が外側に押しやられ、トナー補給口２０が開口し始め、スクリュ後部にトナーが補給される。このシャッター部材２１は現像剤搬送方向に幅を持つとともに、搬送路１８の内外何れの壁面に取り付けることができる。
【００６２】
また、図１７は本発明のさらにまた別の実施形態について説明する。
図１７において、トナー補給口２０はシャッター部材として剤搬送方向下流に向かって開くことができるスライドドア２６が設けられている。このスライドドアは、図示していない弾性部材等の作用により通常はトナー補給口２０を閉じる位置に保持されている。そして、トナー補給口２０の搬送路１８側面には本例では矩形に形成された作用爪２７が固定されている。他方、搬送スクリュ１５の羽根１５ａにはスライドドア２６を閉口するための切り欠き部１５ｄが形成されている。
【００６３】
このように構成された現像装置は、搬送スクリュ１５の回転でスライドドア２６の作用爪２７が羽根１５ａに引っかかると、スクリュ羽根１５ａの回転に伴いスライドドア２６がスライドしてトナー補給口２０を開口し、トナーが補給される。そして、搬送スクリュ１５の回転により、羽根１５ａの切り欠け部１５ｄがスライドドア２６の作用爪２７に到達すると、羽根１５ａとの引っかかり外れてスライドドア２６が弾性部材の作用により閉口する。
【００６４】
このスライドドア２６によってトナー補給口２０を開閉する機構では、作用爪２７や切り欠け部１５ｄの位置を変えることでスライドドア２６の開閉時間や開閉位置を調整することができる。
【図面の簡単な説明】
【００６５】
【図１】本発明に係る現像装置を用いる画像形成装置の主要部を示す概略図である。
【図２】本発明に係る現像装置の一実施形態を示す断面図である。
【図３】その現像装置の剤循環経路を示す断面説明図である。
【図４】その現像装置の補給口近傍の詳細を示す断面説明図である。
【図５】その現像装置の搬送方向と直交する面の現像剤の分布を示す断面図である。
【図６】現像装置の開閉手段の他の実施形態を示す概略図である。
【図７】（ａ），（ｂ），（ｃ）は現像装置における羽根の断面形状を示す図である。
【図８】（ａ），（ｂ）はスクリュのスパイラルの巻き方向と現像剤の寄り方向を示す概略図である。
【図９】図３のＥ部における搬送路の断面形状を示す図である。
【図１０】本発明の他の実施形態を示す補給口近傍の説明図である。
【図１１】図１０に示す実施形態の変形例を示す説明図である。
【図１２】本発明に係る現像装置の別の実施形態を示す断面図である。
【図１３】図１２の現像装置の剤循環方向を示す説明図である。
【図１４】図１２の現像装置の剤循環経路を示す断面図である。
【図１５】本発明のさらに他の実施形態を示す補給口近傍の説明図である。
【図１６】図１５に示す実施形態を横から見た説明図である。
【図１７】本発明のさらにまた他の実施形態を示す補給口近傍の説明図である。
【符号の説明】
【００６６】
１  像担持体
４、４０  現像装置
１０、５０  現像容器
１３、５３  現像スリーブ
１４、５４  第１搬送スクリュ
１５、５５  第２搬送スクリュ
１５ａ  第２搬送スクリュの羽根
１５ｃ  庇部
１５ｄ  切り欠き部
１７、５７  第１搬送路
１８、５８  第２搬送路
２０  トナー排出口
２１  シャッター部材
２１ａ  シャッター部材の支点
２６  スライドドア
【図１】
2010079232.tif 000003
【図２】
2010079232.tif 000004
【図３】
2010079232.tif 000005
【図４】
2010079232.tif 000006
【図５】
2010079232.tif 000007
【図６】
2010079232.tif 000008
【図７】
2010079232.tif 000009
【図８】
2010079232.tif 000010
【図９】
2010079232.tif 000011
【図１０】
2010079232.tif 000012
【図１１】
2010079232.tif 000013
【図１２】
2010079232.tif 000014
【図１３】
2010079232.tif 000015
【図１４】
2010079232.tif 000016
【図１５】
2010079232.tif 000017
【図１６】
2010079232.tif 000018
【図１７】
2010079232.tif 000019